(57)【特許請求の範囲】
【請求項１】
通信システムにおける順方向チャネルを通じてデータ信号を送信するための装置であって、この装置が：
前記データ信号をＭ＋１（Ｍ≧２）個のデータサブストリームにデマルチプレキシングするための手段；
前記データサブストリームの第一のＭ個に第一の重みを掛けることで、Ｍ個の第一の重み付けされたサブストリームを生成するための手段；
前記データサブストリームの残りのＭ＋１番目のデータサブストリームに第二の重みを掛けることで、１個の第二の重み付けされたデータサブストリームを生成するための手段；及び
前記Ｍ個の第一の重み付けされたサブストリームの対応する各々と前記第二の重み付けされたデータサブストリームを結合することで、Ｍ個の結合された重み付けされたデータサブストリームを生成するための手段から構成されることを特徴とする装置。
【請求項２】
前記装置が、前記重みを発生させるための手段を備えることを特徴とする請求項１記載の装置。
【請求項３】
前記装置が、前記重みを格納するための手段を備えることを特徴とする請求項１記載の装置。
【請求項４】
前記装置がさらに：
重みパラメータを逆方向チャネルを介して受信するための手段；および
前記重みパラメータから前記第一と第二の重みを発生させるための手段を備えることを特徴とする請求項１記載の装置。
【請求項５】
さらに、前記結合され重み付けされたデータサブストリームを無線周波数信号としてＭ個の送信アンテナの対応する一つから送信するための手段を備えることを特徴とする請求項１記載の装置。
【請求項６】
前記第一と第二の重みが式：
【数１】
0005366345.tif 000004
0005366345.tif 000005
を解くための手段によって決定され；ここで
α１とα２は、それぞれ、前記第一と第二の重みを表し、
ＰＴは、利用可能な総送信電力を表し、
ρは平均信号対干渉・雑音比（ＳＩＮＲ）を表し、
ηはチャネル成分間の相関を表し、
Ｍは送信アンテナの数を表し、
Ｎは受信アンテナの数を表す、ことを特徴とする請求項１記載の装置。
【請求項７】
η＝Ｋ／（Ｋ＋１）であり、ここで、Ｋは周知のライスの空間Ｋファクタを表すことを特徴とする請求項６に記載の方法。
【請求項８】
前記送信機と受信機が時分割多重方式（ＴＤＤ）を用いて通信し、前記重みが前記送信機内で逆方向リンクの受信機によって前記送信機のために決定されたチャネル成分間の相関の推定量を用いて決定されることを特徴とする請求項６記載の送信機。
【発明の詳細な説明】
【技術分野】
【０００１】  本発明は無線通信の分野、より詳細には、送信機の所で複数のアンテナを用い、受信機の所でも複数のアンテナを用いる無線通信システム、いわゆるマルチ入力マルチ出力（ｍｕｌｔｉｐｌｅ−ｉｎｐｕｔ  ｍｕｌｔｉｐｌｅ−ｏｕｔｕｐ、ＭＩＭＯ）システムに関する。
【背景技術】
【０００２】  当分野においては周知のように、マルチ入力マルチ出力（MIMO）システムは、単一のアンテナ、つまり、単一アンテナ対単一アンテナ、あるいは複数のアンテナ対単一アンテナのシステムと比較して、容量の劇的な改善を達成することができる。
【発明が解決しようとする課題】
【０００３】  ただし、この改善を達成するためには、豊かな散乱環境が存在し、複数の受信アンテナに到達する様々な信号が概ね無相関となることが望まれる。信号がある程度の相関を持ち、これら相関が無視された場合は、性能は劣化し、容量は低減する。
【課題を解決するための手段】
【０００４】  我々は、マルチ入力マルチ出力（MIMO）システム内で用いるための、ある程度の相関が存在する場合でもそのレベルの相関を持つチャネルにて最大のオープンループ容量が達成できるような信号を展開（生成）するためのやり方を発明した。本発明の原理によると、様々なアンテナから送信される信号が、その最大情報搬送能力が改善されるように処理される。より詳細には、送信されるべきデータがＭ＋１個のサブストリームに分割される。ここで、Ｍは送信アンテナの数を表す。各送信アンテナには、これらサブストリームの共通の一つの重み付けされたバージョンと、これらサブストリームのもっぱらそのアンテナに供給される対応する一つの重み付けされたバージョンから成る一つの結合された信号が供給され、全体ではＭ個の送信信号が存在する。Ｎ個のアンテナを備える受信機は、そのチャネルによって結合されたＭ個の送信信号を受信し、これらから元のデータを再構成する。これは、一連の復号過程を用いて達成される。長所として、オープンループ容量（ｏｐｅｎ−ｌｏｏｐ  ｃａｐａｃｉｔｙ）、つまり、送信機に瞬間順方向チャネル条件が知られてないときに任意の小さなエラーの確率にて運ぶことができる情報速度が最大化される。
【０００５】  本発明の一つの実施例においては、重みは、逆方向リンクの送信機から順方向リンクの受信機に時々刻々と送信される順方向リンクのチャネル統計量を用いて、順方向チャネルの送信機によって決定される。本発明のもう一つの実施例においては、重みパラメータ、あるいは重み自身の決定は、順方向チャネルの受信機によって順方向リンクのチャネル統計量を用いて行なわれ、こうして決定された重みパラメータあるいは重みが、これを逆方向リンクの送信機から順方向リンクの受信機に時々刻々送信することで順方向リンクの送信機に知らされる。
【発明を実施するための形態】
【０００６】  以下は単に本発明の原理を解説するものである。従って、当業者においては、ここでは明示されないが、本発明の原理を採用し、本発明の精神および範囲内に入るとみなされる様々なアレンジメント（方法および装置）を考案できるものである。さらに、ここで言及されるに全て実施例および条件的な表現は、教示的なものであり、つまり、読者に本発明の原理を理解して貰う、あるいは発明人の概念が当分野の進歩にいかに貢献するかを理解して貰うことを目的とするものであり、本発明は、これら具体的な実施例および条件に制限されるものではない。さらに、本発明の原理、特徴、および実施例、並びに具体的な例について説明する全ての記述は、これらの構造上および機能上の両方の同等物を包含するものであノる。加えて、これら同等物には現在知られている同等物並びに将来開発されるであろう同等物の両方、つまり、同一の機能を遂行する全ての要素が、構造とは関係なく、含まれるものである。
【０００７】  例えば、説明に用いられる様々なブロック図は単に本発明の原理を採用する一例としての回路を概念的に示すものである。同様に、フローチャート、フローダイアグラム、状態遷移図、疑似コード、その他も、コンピュータあるいはプロセッサが明示的に示されているか否かとは関係なく、本質的にコンピュータにて読出し可能な媒体内に実現され、コンピュータあるいはプロセッサによって実行される様々な過程を単に概念的に示すものである。
【０００８】  図に示される様々な要素の機能（“プロセッサ（processors）”とラベルされる機能ブロックをも含む）は、専用のハードウエアを用いて実現することも、ソフトウエアを実行する能力を持つハードウエアを適当なソフトウエアと共に用いて実現することもできる。プロセッサを用いて実現される場合でも、これら機能は、単一の専用のプロセッサを用いて実現することも、単一の共有プロセッサを用いて実現することも、複数のプロセッサを用いこれらの幾つかを共有することで実現することも考えられる。さらに、“プロセッサ（processor）”あるいは“コントローラ（controller）”なる用語の明示的な使用は、ソフトウエアを実行する能力を持つハードウエアを排他的に意味するものと解されるべきではなく、これには、暗黙的に、これに限られるものではないが、デジタル信号プロセッサ（DSP）ハードウエア、ソフトウエアを格納するための読出専用メモリ（ROM）、ランダムアクセスメモリ（RAM）、および不揮発性メモリの使用も含まれるものである。他のハードウエア、例えば、従来のおよび／あるいはカスタムハードウエアを用いることもできる。同様に、図に示される任意のスイッチも単に概念的なものであり、これらの機能は、プログラム論理の動作を通じて遂行することも、専用の論理を通じて遂行することも、プログラム制御と専用の論理の相互作用を通じて遂行することも、さらには、手動にて遂行することも可能であり、本発明の実施者は本発明が適用される個々の文脈に応じて特定の技法を選択できるものである。
【０００９】  クレーム中、指定される機能を遂行するための手段として表現される任意の要素は、その機能を遂行するためのあらゆるやり方を包含するものと解されるべきであり、これには、例えば、ａ）その機能を遂行する回路要素の組合せ、あるいはｂ）その機能を遂行するための任意の形式の、従って、ファームウエア、マイクロコード、その他を含むソフトウエアとこのソフトウエアを実行するための適当な回路の組合せが含まれる。クレームにおいて定義される発明は、様々な列挙される手段によって提供される機能が、クレームにおいて述べられるやり方にて、結合され、一体化される所にある。出願人は、従って、これら機能を提供することができるあらゆる手段をクレーム中に示されている手段と同等であるとみなすものである。
【００１０】  図１は、本発明による、順方向チャネルを通じて送信するＭ個の送信アンテナを持つ送信機を備えるMIMOシステム内で用いる、ある程度の相関が存在する場合でもそのレベルの相関を持つチャネルにて最大のオープンループ容量が達成できるように構成された、MIMOシステム内で送信するための信号を展開（生成）するための送信機の一部分を示す。図１に示すように、この送信機は、ａ）デマルチプレクサ（DEMUX）１０１；ｂ）重み供給器１０５；ｃ）アンテナ１０７−１〜１０７−Ｍを含むアンテナ１０７；ｄ）加算器１０９−１〜１０９−Ｍを含む加算器１０９；ｅ）乗算器１１１−１〜１１１−Ｍ＋１；およびｆ）RF変換器１１５−１〜１１５−Ｍを含む無線周波数（RF）変換器１１５から構成される。
【００１１】  デマルチプレクサ１０１は、入力としてデータストリームを受け取り、出力として、入力データストリームからの様々なビットを各々のデータサブストリームに供給することで、Ｍ＋１個のデータサブストリームを供給する。これらデータサブストリームはデマルチプレクサ１０１によって、乗算器１１１の対応する一つに供給される。乗算器１１１−１〜１１１−Ｍは、第一のＭ個のデータサブストリームの各値に重み供給器１０５から供給される第一の重みを乗じる。典型的には、第一のＭ個の重み付けされたデータサブストリームの各々は、同一のレートを持つ。同様に、乗算器１１１−Ｍ＋１は、Ｍ＋１番目のデータサブストリームの各値に重み供給器１０５から供給される第二の重みを乗じる。
【００１２】  典型的には、Ｍ＋１番目のデータサブストリームのレートは、第一のＭ個のデータサブストリームのレートとは異なる。第一のＭ個のデータサブストリームとＭ＋１番目のデータサブストリームに対して具体的にどのようなレートを用いるかは、受信機、とりわけ、受信機が遂行する一連のデコンポジション（分離）の順番に依存し、具体的なレートは、典型的には、受信機と送信機との間で時々刻々と協議（ネゴシエート）される。
【００１３】  第一と第二の重みは、互いに関連し、重み供給器１０５によって共通の重みパラメータから展開（決定）されるが、この重みパラメータは、後に詳細に説明するように、順方向チャネルの統計量から導かれる。本発明の一つの実施例においては、重み供給器１０５は、これら重み値を、図２に示され後に説明される受信機から逆方向チャネルを介して受信される情報に応答して実際に展開（決定）する。本発明のもう一つの実施例においては、これら重み値は受信機内で展開（決定）され、逆方向チャネルを介して送信機に供給され、送信機内の重み供給器１０５内にこれらが必要となるまで格納される。これら重みが、本発明の一面に従ってどのようにして展開（決定）されるかの過程については後に説明する。
【００１４】  第一のＭ個の重み付けされたデータサブストリームの各々は、加算器１０９の対応する一つへの入力として供給される。各加算器１０９は他方の入力の所に、乗算器１１１−Ｍ＋１から出力として供給される重み付けされたＭ＋１番目のデータサブストリームも受信する。各加算器１０９は、自身へのこれら２つの重み付けされたデータサブストリームを結合することで、一つの結合されたブランチ信号を生成する。こうして、各加算器１０９によって一つずつ、全部でＭ個の結合されたブランチ信号が生成される。各無線周波数（RF）変換器１１５は、これらＭ個の結合されたブランチ信号の一つを受信し、Ｍ個の結合されたブランチ信号の無線周波数バージョンを展開（生成）し、アンテナ１０７の対応する一つに送信のために供給する。
【００１５】  図２は本発明の原理に従って構成されたMIMOシステム用の受信機の一部分を示す。受信機は、図２に示すように、ａ）アンテナ２０１−１〜２０１−Ｎを含むＮ個のアンテナ２０１；ｂ）無線周波数（RF）変換器２０３−１〜２０３−Ｎを含む無線周波数（RF）変換器２０３；ｃ）チャネル統計量推定ユニット２０７；ｅ）オプションとしての重みパラメータ計算器２０９；およびｆ）オプションとしてのスイッチ２１１から構成される。各アンテナ２０１は、無線信号を受信し、その電気バージョンを対応する一つの無線周波数（RF）変換器２０３に供給する。各無線周波数（RF）変換器２０３は、受信した信号をベースバンドにダウン変換し、このベースバンドアナログ信号をデジタル表現に変換し、このデジタル表現をチャネル統計量推定ユニット２０７に供給する。
【００１６】  チャネル統計量推定ユニット２０７は、チャネルに関する幾つかの統計量を発生させる。より具体的には、チャネル統計推定ユニット２０７は、ａ）平均信号対干渉・雑音比（ｓｉｇｎａｌ−ｔｏ−ｉｎｔｅｒｆｅｒｅｎｃｅ−ａｎｄ−ｎｏｉｓｅ  ｒａｔｉｏ、ＳＩＮＲ）ρの推定量、およびｂ）チャネル成分間の相関ηの推定量を発生させる。チャネル成分間の相関は、従来のやり方で決定される順方向マトリックスチャネル応答の推定量を用いて発生させられる。複数の送信アンテナおよび複数の受信アンテナが存在するためにマトリックスが必要となる。より詳細には、ある時間期間に渡ってのチャネル成分間の相関は、η＝Ｋ／（Ｋ＋１）として計算され、ここで、Ｋは、周知のライスの空間Ｋ−ファクタ（Ｒｉｃｅａｎ  ｓｐａｔｉａｌ  Ｋ−ｆａｃｔｏｒ）を表す。
【００１７】  チャネル統計量は、オプションとしての重みパラメータ計算器２０９に供給されるか、あるいは逆方向チャネルを介して送信機（図１）に供給される。チャネル統計量が、重みパラメータ計算器２０９に供給される場合は、重みパラメータ計算器２０９は、重みパラメータを決定し、結果としての重みパラメータを逆方向チャネルを介して送信機（図１）に供給する。本発明の一面においては、これら重みパラメータは、後に説明されるようなやり方で用いられる。
【００１８】  図３は、本発明による、Ｎ個の受信アンテナを持つ受信機に順方向チャネルを通じて送信するＭ個の送信アンテナを持つ送信機と受信機から送信機に送信するための逆方向チャネルを備えるMIMOシステム内で送信される信号を展開（生成）するための、ある程度の相関が存在する場合でもそのレベルの相関を持つチャネルにて最大のオープンループ容量が実質的にオープンループ過程にて達成できることを目指す、過程を流れ図の形式にて示す。図３の過程は、図１および図２のハードウエアを用い、スイッチ２１１がチャネル統計量推定ユニット２０７に接続される本発明の一つの実施例において以下のようにして採用される。
【００１９】  最初に、チャネル統計量が安定である時間期間の長さを決定することが必要となる。これは、典型的には、システムを開発するシステムエンジニアリングの段階において、当業者においては周知のやり方にて、システムがその中に展開される環境の測定量を用いて遂行される。チャネル統計量が安定である時間期間の長さがいったん決定されると、この時間期間が各統計量を生成するための情報を収集するための時間として用いられる。
【００２０】  図３の過程は各時間期間の開始においてステップ３０１から開始される。次に、ステップ３０３において、チャネル統計量が決定された時間期間に渡って推定される。
その後、ステップ３０５（図３）において、これら統計量が順方向リンクの受信機から順方向リンクの送信機に、例えば、逆方向チャネルを介して供給される。
【００２１】  ステップ３０７において、第一の重みα１と第二の重みα２が、例えば、重み供給器１０５（図１）によって計算される。より詳細には、これら重みは以下のように計算される：
【数２】
0005366345.tif 000002
【００２２】  ここで、Ｍ、Ｎ、ρ、μは上で定義された通りであり、ＰＴは利用可能な総送信電力を表す。上から分かるようにこの２つの重みの間には互いに関係があり、例えば
【数３】
0005366345.tif 000003
なる関係を用いて、これらの一方を重みパラメータとして用い他方を決定することができる。
【００２３】  ステップ３０９において、入力データストリームがＭ＋１個のサブストリームに、例えば、デマルチプレクサ１０１（図１）によって分割される。次に、ステップ３１１において、第一のＭ個の各データサブストリームに重みα1が掛けられる。換言すれば、特定のデータストリームの各ビットにα1を掛けることで、Ｍ個の重み付けされたデータサブストリームが生成される。加えて、Ｍ＋１番目のデータサブストリームに重みα２を掛けることで、Ｍ＋１番目の重み付けされたデータサブストリームが生成される。
【００２４】  次に、ステップ３１３において、第一のＭ個の重み付けされた各データサブストリームがＭ＋１番目の重み付けされたデータサブストリームと、例えば、加算器１０９によって結合され、この過程は、次に、ステップ３１５において終了する。
【００２５】  図４は、本発明による、Ｎ個の受信アンテナを持つ受信機に順方向チャネルを通じて送信するＭ個の送信アンテナを持つ送信機と受信機から送信機に送信するための逆方向チャネルを備えるMIMOシステム内で送信される信号を展開（生成）するための、ある程度の相関が存在する場合でもそのレベルの相関を持つチャネルにて最大のオープンループ容量が実質的にオープンループ過程にて達成できることを目指す、もう一つの過程を流れ図の形式にて示す。
図４の過程は、各時間期間の開始においてステップ４０１から開始される。次に、ステップ４０３において、チャネル統計量がその時間期間に渡って推定される。
【００２６】  ステップ４０５において、重みα１とα２の少なくとも一つが、例えば、重みパラメータ計算器２０９（図２）によって計算される。少なくとも一つの重み、あるいは両方が計算される場合両方の重みは、上述と同様なやり方にて計算される。これら重みの一つを計算することのみが要求され、他方の重みは送信機内で重みパラメータから上述の関係を用いて決定することができる。
【００２７】  その後、ステップ４０７において、両方の重み、あるいは決定された重みパラメータが、順方向リンクの受信機から順方向リンクの送信機に、例えば、逆方向チャネルを介して供給され、この重みは、重み供給器１０５（図１）内に格納される。一方の重みのみが重みパラメータとして供給された場合は、他方の重みは重み供給器１０５内で計算され、これも重み供給器１０５内に格納される。
【００２８】  ステップ４０９において、入力データストリームがＭ＋１個のサブストリームに、例えば、デマルチプレクサ１０１（図１）によって分割される。次に、ステップ４１１において、第一のＭ個の各データサブストリームに重みα１が掛けられる。換言すれば、特定のデータストリームの各ビットにα１を掛けることで、Ｍ個の重み付けされたデータサブストリームが生成される。加えて、Ｍ＋１番目のデータサブストリームに重みα２を掛けることで、Ｍ＋１番目の重み付けされたデータサブストリームが生成される。
【００２９】  次に、ステップ４１３において、第一のＭ個の重み付けされた各データサブストリームがＭ＋１番目の重み付けされたデータサブストリームと、例えば、加算器１０９によって結合され、この過程は、次にステップ４１５において終了する。
【００３０】  図５は、本発明による、順方向チャネルを通じて送信するＭ個の送信アンテナを持つ送信機を備えるMIMOシステム内で用いる、ある程度の相関が存在する場合でもそのレベルの相関を持つチャネルにて最大のオープンループ容量が達成できるように構成された、MIMOシステム内で送信するための信号を展開（生成）するためのもう一つの送信機の一部分を示す。図５に示すように、この送信機は、ａ）デマルチプレクサ（DEMUX）５０１、５０３； ｂ）重み供給器５０５；ｃ）アンテナ５０７−１〜５０７−Ｍを含むアンテナ ５０７；ｄ）加算器５０９−１〜５０９−Ｍを含む加算器５０９；ｅ）乗算器５１１−１、５１１−２；およびｆ）RF変換器５１５−１〜５１５−Ｍを含む無線周波数（RF）変換器５１５から構成される。
【００３１】  デマルチプレクサ５０１は、入力としてデータストリームを受け取り、出力として、入力データストリームからの様々なビットを各データサブストリームに供給することで、２つのデータサブストリームを供給する。第一のデータサブストリームは、デマルチプレクサ５０１から乗算器５１１−１に供給される。乗算器５１１−１は第一のサブストリームの各値に重み供給器５０５から供給される第一の重みを乗じ、乗算器５１１−２は第二のサブストリームの各値に重み供給器５０５から供給される第二の重みを乗じる。
【００３２】  上で説明したように、第一と第二の重みは互いに関連し、重み供給器５０５によって、順方向チャネルの統計から導かれる共通の重みパラメータから展開（決定）することができる。本発明の一つの実施例においては、重み供給器５０５は、これら重み値を、図２との関連で説明したように、受信機から逆方向チャネルを介して受信される情報に応答して実際に展開（決定）する。本発明のもう一つの実施例においては、これら重み値は、受信機内で展開（決定）され、逆方向チャネルを介して送信機に供給され、送信機内の重み供給器５０５内にこれらが必要となるまで格納される。
【００３３】  デマルチプレクサ５０３は、デマルチプレクサ５１１−１から出力として供給される重み付けされたデータサブストリームを受け取り、出力として、Ｍ個の重み付けされたデータサブストリームを供給する。これは、自身が受信する重み付けされたデータサブストリームからの様々なビットを、Ｍ個の重み付けされたデータサブストリームの各々に供給することで行なわれる。典型的には、Ｍ個の重み付けされた各データサブストリームは、同一のレートを持つ。デマルチプレクサ５０３によって展開されたＭ個の重み付けされた各データサブストリームは、対応する加算器５０９の一つに入力として供給される。各加算器５０９は、他方の入力の所に、乗算器５１１−２から出力として供給される重み付けされた第二のサブストリームも受信する。各加算器５０９は、自身へのこれら２つの重み付けされたデータサブストリーム入力を結合することで、一つの結合されたブランチ信号を生成する。こうして、各加算器５０９によって一つずつ、全部でＭ個の結合されたブランチ信号が生成される。各無線周波数（RF）変換器５１５は、これらＭ個の結合されたブランチ信号の一つを受信し、これからＭ個の結合されたブランチ信号の無線周波数バージョンを展開（生成）し、アンテナ５０７の対応する一つに送信のために供給する。
【００３４】  本発明は、単一のチャネルを順方向チャネルおよび逆方向チャネルの両方に対して共有するいわゆる“時分割多重（TDD）”システム内で用いることもできるが、本発明のこのような実施例においては、チャネル成分間の相関ηの計算は、無線リンクのいずれの端で遂行することもできる。これは、順方向チャネルと逆方向チャネルが同一の周波数チャネルを共有し、任意の時間においてそのチャネルをどちらが使用するかを変更しても、順方向チャネルと逆方向チャネルに関するチャネル統計量は同一となるためである。つまり、逆方向チャネルの受信機は順方向チャネルの受信機と同一のチャネル成分間の相関ηを経験し、このため、逆方向リンクの受信機は、順方向リンクの受信機によって測定されたであろうチャネル成分間の相関ηを測定することができる。同様に、順方向チャネルの受信機は逆方向チャネルの受信機と同一のチャネル応答を経験し、このため、順方向チャネルの受信機は、逆方向リンクの受信機によって決定されたであろうチャネル成分間の相関ηを決定することができる。ただし、この場合でも、SINRはもっぱら受信機の所で計算し、必要に応じて、送信機に送ることを要求される。
【図面の簡単な説明】
【図１】  本発明による、順方向チャネルを通じて送信するＭ個の送信アンテナを持つ送信機を備えるMIMOシステム内で用いる、ある程度の相関が存在する場合でもそのレベルの相関を持つチャネルにて最大のオープンループ容量が達成できるように構成された、MIMOシステム内で送信するための信号を展開（生成）するための送信機の一部分を示す。
【図２】  図２は本発明の原理に従って構成されたMIMOシステム用の受信機の一部分を示す。
【図３】  本発明による、MIMOシステム内で送信される信号を展開するための、ある程度の相関が存在する場合でもそのレベルの相関を持つチャネルにて最大のオープンループ容量が実質的にオープンループ過程にて達成できることを目指す過程を流れ図の形式にて示す。
【図４】  本発明による、MIMOシステム内で送信される信号を展開するための、ある程度の相関が存在する場合でもそのレベルの相関を持つチャネルにて最大のオープンループ容量が実質的にオープンループ過程にて達成できることを目指すもう一つの過程を流れ図の形式にて示す。
【図５】  本発明による、順方向チャネルを通じて送信するＭ個の送信アンテナを持つ送信機を備えるMIMOシステム内で用いる、ある程度の相関が存在する場合でもそのレベルの相関を持つチャネルにて最大のオープンループ容量が達成できるように構成された、MIMOシステム内で送信するための信号を展開するためのもう一つの送信機の一部分を示す。
【符号の説明】１０１  デマルチプレクサ（DEMUX）
１０５  重み供給器
１０７  アンテナ
１０９  加算器
１１１  乗算器
１１５  無線周波数（RF）変換器
【図１】
0005366345.tif 000006
【図２】
0005366345.tif 000007
【図３】
0005366345.tif 000008
【図４】
0005366345.tif 000009
【図５】
0005366345.tif 000010